(57)【要約】【課題】多くの集計センタと受信情報のやり取りを行い、さらには、受信機側のダイバーシティの数をはじめとする構成や、車載の場合のアンテナ取り付け位置や取り付け高さなどが異なる場合に対応した受信装置および受信方法を提供する。【解決手段】サイト選択部１１４でインターネット上の多くの汎用集計センタのサイトから希望する１つのサイトが選択され、そのサイトのサイトアドレスとそのサイトからデータ収集するために必要な初期設定であるサイト情報は制御部１１０へ送られる。地域受信情報は双方向通信部１１５で受信され、記憶部１１１に記憶され、地域受信情報の最適化を行う。【選択図】図１
2013219762.tif 000002
【特許請求の範囲】
【請求項１】
地域の放送局に係る地域受信情報を有するサイトから受信した前記地域受信情報に基づいて放送信号を選択して受信する受信装置であって、
前記放送信号を受信する放送受信部と、
前記サイトに接続するためのサイトアドレスと前記サイトから前記地域受信情報を収集するために必要な初期設定に用いるサイト情報を有し、複数のサイトから特定のサイトを選択するサイト選択部と、
当該サイト選択部が選択した前記サイトに接続して情報を送受信し、前記地域受信情報を受信する双方向通信部と、
当該双方向通信部が受信した前記地域受信情報を記憶する記憶部と、
前記受信装置の位置情報を検出する位置検出部と、
前記受信装置の動作を制御する制御部を有し、
当該制御部は、
前記位置検出部が検出した前記位置情報を、前記双方向通信部を介して前記サイトに送信し前記位置情報に対応した前記放送信号の受信可否に係る情報を含めた前記地域受信情報を受信し、受信した当該地域受信情報に基づき前記放送受信部が前記放送信号を受信するよう、前記受信装置を制御すること
を特徴とする受信装置。
【請求項２】
地域の放送局に係る地域受信情報を有するサイトから受信した前記地域受信情報に基づいて放送信号を受信する受信装置であって、
前記放送信号を受信する放送受信部と、
前記サイトに接続して情報を送受信し、前記地域受信情報を受信する双方向通信部と、
当該双方向通信部が受信した前記地域受信情報を記憶する記憶部と、
当該記憶部に前記地域受信情報が記憶された後、前記双方向通信部が受信した情報からユーザが選択した放送局に係る放送受信情報を検出する放送受信検出部と、
前記記憶部に記憶された前記地域受信情報と前記放送受信部が検出した放送受信情報とを比較し、前記地域受信情報を補正する補正部と、
前記受信装置の位置情報を検出する位置検出部と、
前記受信装置の動作を制御する制御部を有し、
当該制御部は、
前記位置検出部が検出した前記位置情報を、前記双方向通信部を介して前記サイトに送信し前記位置情報に対応した前記放送信号の受信可否に係る情報を含めた前記地域受信情報を受信し、受信した当該地域受信情報を前記補正部で補正し、補正された前記地域受信情報に基づき前記放送受信部が前記放送信号を受信するよう、前記受信装置を制御すること
を特徴とする受信装置。
【請求項３】
地域の放送局に係る地域受信情報を有するサイトから受信した前記地域受信情報に基づいて放送信号を受信する受信装置であって、
前記放送信号を受信する放送受信部と、
前記サイトに接続して情報を送受信し、前記地域受信情報を当該地域受信情報の内容を示すパラメータ情報を含めて受信する双方向通信部と、
当該双方向通信部が受信した前記地域受信情報を記憶する記憶部と、
前記パラメータ情報に係る前記受信装置に対応した補正値を記憶する補正値記憶部と、
前記記憶部に記憶された前記地域受信情報を前記補正値記憶部に記憶された前記補正値を用いて補正する補正部と、
前記受信装置の位置情報を検出する位置検出部と、
前記受信装置の動作を制御する制御部を有し、
当該制御部は、
前記位置検出部が検出した前記位置情報を、前記双方向通信部を介して前記サイトに送信し前記位置情報に対応した前記放送信号の受信可否に係る情報を含めた前記地域受信情報を受信し、受信した当該地域受信情報を前記補正部で補正し、補正された前記地域受信情報に基づき前記放送受信部が前記放送信号を受信するよう、前記受信装置を制御すること
を特徴とする受信装置。
【請求項４】
地域の放送局に係る地域受信情報を有するサイトから受信した前記地域受信情報に基づいて放送信号を受信する受信装置の受信方法であって、
前記サイトに対し当該サイトのサイトアドレスを用いて選択接続する接続ステップと、
当該接続ステップにより接続された前記サイトから得たサイト情報を用いて前記サイトからデータ収集するために必要な初期設定を行う設定ステップと、
前記受信装置の位置情報を前記サイトに送信する送信ステップと、
当該送信ステップにより送信された前記位置情報に対応した前記放送信号の受信可否に係る情報を含めた前記地域受信情報を受信する受信ステップと、
当該受信ステップにより受信された前記地域受信情報に基づき前記放送信号のうち受信可能な放送局リストを作成する作成ステップと
を有し、当該作成ステップにより作成された前記放送局リストに基づき前記放送信号を受信することを特徴とする受信方法。
【請求項５】
地域の放送局に係る地域受信情報を有するサイトから受信した前記地域受信情報に基づいて放送信号を受信する受信装置の受信方法であって、
前記サイトに対し当該サイトのサイトアドレスを用いて選択接続する接続ステップと、
当該接続ステップにより接続された前記サイトから得たサイト情報を用いて前記サイトからデータ収集するために必要な初期設定を行う設定ステップと、
前記放送局のうち所定放送局の放送信号を受信する第１の受信ステップと、
前記受信装置の位置情報を前記サイトに送信する送信ステップと、
当該送信ステップにより送信された前記位置情報と前記所定放送局の放送信号の受信可否に係る情報を含めた前記地域受信情報を受信する第２の受信ステップと、
当該第２の受信ステップにより受信された前記地域受信情報に基づき前記所定の放送局のうち最も受信状態の良い放送局を選択する選択ステップと
を有し、前記第１の受信ステップは、前記選択ステップにより選択された放送局の放送信号を受信することを特徴とする受信方法。
【請求項６】
地域の放送局に係る地域受信情報を有するサイトから受信した前記地域受信情報に基づいて放送信号を受信する受信装置の受信方法であって、
前記サイトに対し当該サイトのサイトアドレスを用いて選択接続する接続ステップと、
前記受信装置の位置情報を前記サイトに送信する送信ステップと、
当該送信ステップにより送信された前記位置情報に対応した前記放送局の放送信号の受信可否に係る情報を含めた前記地域受信情報を受信する受信ステップと、
当該受信ステップにより前記地域受信情報が受信された後、前記受信ステップが受信した情報からユーザが選択した放送局に係る放送受信情報を検出する検出ステップと、
前記受信ステップで受信した前記地域受信情報と前記検出ステップで検出した前記放送受信情報とを比較し前記地域受信情報を補正する補正ステップと
を有し、当該補正ステップにより補正された前記地域受信情報に基づき前記放送信号を受信することを特徴とする受信方法。
【請求項７】
地域の放送局に係る地域受信情報を有するサイトから受信した前記地域受信情報に基づ
いて放送信号を受信する受信装置の受信方法であって、
前記サイトに対し当該サイトのサイトアドレスを用いて選択接続する接続ステップと、
前記受信装置の位置情報を前記サイトに送信する送信ステップと、
当該送信ステップにより送信された前記位置情報に対応した前記放送局の放送信号の受信可否に係る情報を含めた前記地域受信情報と当該地域受信情報の内容を示すパラメータ情報を受信する受信ステップと、
当該受信ステップにより受信された前記地域受信情報を前記パラメータ情報に基づき補正する補正ステップと
を有し、当該補正ステップにより補正された前記地域受信情報に基づき前記放送信号を受信することを特徴とする受信方法。
【請求項８】
請求項１に記載の受信装置において、
前記サイト情報は、地域又は前記地域を更に細かく分割した地点の地図情報と前記位置情報の関連の付け方、前記地図情報のフォーマット、前記地域受信情報の種類とそのフォーマット、前記地域又は前記地点の大きさ、情報のやり取りのプロトコルであることを特徴とする受信装置。
【請求項９】
請求項４又は請求項５に記載の受信方法において、
前記サイト情報は、地域又は前記地域を更に細かく分割した地点の地図情報と前記位置情報の関連の付け方、前記地図情報のフォーマット、前記地域受信情報の種類とそのフォーマット、前記地域又は前記地点の大きさ、情報のやり取りのプロトコルであることを特徴とする受信方法。
【請求項１０】
請求項３に記載の受信装置において、
前記補正値は、前記放送信号の変調方式と符号化率における所要Ｃ／Ｎと関連付けた値であること、前記放送受信部の受信方式と関連付けた値であること、前記放送受信部の受信場所と関連付けた値であること、のうち少なくとも一つを設けることを特徴とする受信装置。
【請求項１１】
請求項７に記載の受信方法において、
前記補正値は、前記放送信号の変調方式と符号化率における所要Ｃ／Ｎと関連付けた値であること、前記放送受信部の受信方式と関連付けた値であること、前記放送受信部の受信場所と関連付けた値であること、のうち少なくとも一つを設けることを特徴とする受信方法。
【請求項１２】
請求項２に記載の受信装置において、
前記地域受信情報は、前記放送信号の変調方式と符号化率における所要Ｃ／Ｎと関連付けた値であること、前記放送受信部の受信方式と関連付けた値であること、前記放送受信部の受信場所と関連付けた値であること、のうち少なくとも一つを設けることを特徴とする受信装置。
【請求項１３】
請求項６に記載の受信方法において、
前記地域受信情報は、前記放送信号の変調方式と符号化率における所要Ｃ／Ｎと関連付けた値であること、前記放送受信部の受信方式と関連付けた値であること、前記放送受信部の受信場所と関連付けた値であること、のうち少なくとも一つを設けることを特徴とする受信方法。
【請求項１４】
請求項１０または請求項１２に記載の受信装置において、
前記受信方式とはシングル受信またはダイバーシティ受信方式のアンテナの数であることを特徴とする受信装置。
【請求項１５】
請求項１１または請求項１３に記載の受信方法において、
前記受信方式とはシングル受信またはダイバーシティ受信方式のアンテナの数であることを特徴とする受信方法。
【請求項１６】
請求項１０または請求項１２に記載の受信装置において、
前記受信場所とはアンテナ配置の場所であることを特徴とする受信装置。
【請求項１７】
請求項１１または請求項１３に記載の受信方法において、
前記受信方式とはアンテナ配置の場所であることを特徴とする受信方法。
【請求項１８】
請求項１６に記載の受信装置において、
前記アンテナ配置の場所とは自動車の車種、前記自動車の窓の位置、のうち少なくとも一つであることを特徴とする受信装置。
【請求項１９】
請求項１７に記載の受信方法において、
記アンテナ配置の場所とは自動車の車種、前記自動車の窓の位置、のうち少なくとも一つであることを特徴とする受信方法。
【請求項２０】
地域の放送局に係る地域受信情報を有するサイトから受信した前記地域受信情報に基づいて放送信号を受信する受信装置であって、
前記放送信号を受信する放送受信部と、
前記サイトに接続して情報を送受信し、前記地域受信情報を受信する双方向通信部と、
当該双方向通信部が受信した前記地域受信情報を記憶する記憶部と、
前記放送受信部が受信した前記放送信号から放送受信状態を示す放送受信情報を検出する放送受信検出部と、
前記記憶部に記憶された前記地域受信情報と前記放送受信部が検出した放送受信情報とを比較し、前記地域受信情報を補正する補正部と、
前記受信装置の位置情報を検出する位置検出部と、
前記受信装置の動作を制御する制御部を有し、
当該制御部は、
前記位置検出部が検出した前記位置情報を、前記双方向通信部を介して前記サイトに送信し前記位置情報に対応した前記放送信号の受信可否に係る情報を含めた前記地域受信情報を受信し、受信した当該地域受信情報を前記補正部で補正し、補正された前記地域受信情報に基づき前記放送受信部が前記放送信号を受信するよう、前記受信装置を制御することを特徴とする受信装置。
【請求項２１】
地域の放送局に係る地域受信情報を有するサイトから受信した前記地域受信情報に基づいて放送信号を受信する受信装置の受信方法であって、
前記サイトに対し当該サイトのサイトアドレスを用いて選択接続する接続ステップと、
当該接続ステップにより接続された前記サイト用のサイト情報を用いて前記サイトからデータ収集するために必要な初期設定を行う設定ステップと、
前記受信装置の位置情報を、前記サイト情報を用いて前記サイトに送信する送信ステップと、
当該送信ステップにより送信された前記位置情報に対応した前記放送信号の受信可否に係る情報を含めた前記地域受信情報を、前記サイト情報を用いて受信する受信ステップと、
当該受信ステップにより受信された前記地域受信情報に基づき前記放送信号のうち受信可能な放送局リストを作成する作成ステップと
を有し、当該作成ステップにより作成された前記放送局リストに基づき前記放送信号を受信することを特徴とする受信方法。
【請求項２２】
地域の放送局に係る地域受信情報を有するサイトから受信した前記地域受信情報に基づいて放送信号を受信する受信装置の受信方法であって、
前記サイトに対し当該サイトのサイトアドレスを用いて選択接続する接続ステップと、
当該接続ステップにより接続された前記サイト用のサイト情報を用いて前記サイトからデータ収集するために必要な初期設定を行う設定ステップと、
前記放送局のうち現在受信中の受信放送信号の受信放送局を、前記サイト情報を用いて前記サイトに送信する放送局送信ステップと、
前記受信装置の位置情報を、前記サイト情報を用いて前記サイトに送信する送信ステップと、
当該送信ステップにより送信された前記受信放送局と前記位置情報に対応した前記受信放送局の前記受信放送信号の受信可否に係る情報を含めた前記地域受信情報を、前記サイト情報を用いて受信する受信ステップと、
当該受信ステップにより受信された前記地域受信情報に基づき前記所定の放送局のうち最も受信状態の良い放送局を選択する選択ステップと
を有し、前記選択ステップにより選択された放送局の放送信号を受信することを特徴とする受信方法。
【請求項２３】
地域の放送局に係る地域受信情報を有するサイトから受信した前記地域受信情報に基づいて放送信号を受信する受信装置の受信方法であって、
前記サイトに対し当該サイトのサイトアドレスを用いて選択接続する接続ステップと、
前記受信装置の位置情報を前記サイトに送信する送信ステップと、
当該送信ステップにより送信された前記位置情報に対応した前記放送局の放送信号の受信可否に係る情報を含めた前記地域受信情報を受信する受信ステップと、
前記放送信号から放送受信状態を示す放送受信情報を検出する検出ステップと、
前記受信ステップで受信した前記地域受信情報と前記検出ステップで検出した前記放送受信情報とを比較し前記地域受信情報を補正する補正ステップと
を有し、当該補正ステップにより補正された前記地域受信情報に基づき前記放送信号を受信することを特徴とする受信方法。
【請求項２４】
地域の放送局に係る地域受信情報を有するサイトから受信した前記地域受信情報に基づいて放送信号を受信する受信装置であって、
前記放送信号を受信する放送受信部と、
前記サイトに接続するためのサイトアドレスと前記サイトの当該地域受信情報の内容を示すパラメータ情報を含むサイト情報を有し、複数のサイトから特定のサイトを選択するサイト選択部と、
前記サイトに接続して情報を送受信し、前記地域受信情報を受信する双方向通信部と、
当該双方向通信部が受信した前記地域受信情報を記憶する記憶部と、
前記パラメータ情報に係る前記受信装置に対応した補正値を記憶する補正値記憶部と、
前記記憶部に記憶された前記地域受信情報を前記補正値記憶部に記憶された前記補正値を用いて補正する補正部と、
前記受信装置の位置情報を検出する位置検出部と、
前記受信装置の動作を制御する制御部を有し、
当該制御部は、
前記位置検出部が検出した前記位置情報を、前記双方向通信部を介して前記サイトに送信し前記位置情報に対応した前記放送信号の受信可否に係る情報を含めた前記地域受信情報を受信し、受信した当該地域受信情報を前記補正部で補正し、補正された前記地域受信情報に基づき前記放送受信部が前記放送信号を受信するよう、前記受信装置を制御すること
を特徴とする受信装置。
【請求項２５】
地域の放送局に係る地域受信情報を有するサイトから受信した前記地域受信情報に基づ
いて放送信号を受信する受信装置の受信方法であって、
前記サイトに対し当該サイトのサイトアドレスを用いて選択接続する接続ステップと、
前記受信装置の位置情報を前記サイトに送信する送信ステップと、
当該送信ステップにより送信された前記位置情報に対応した前記放送局の放送信号の受信可否に係る情報を含めた前記地域受信情報を受信する受信ステップと、
当該受信ステップにより受信された前記地域受信情報を前記サイトの当該地域受信情報の内容を示すパラメータ情報を含むサイト情報からの前記パラメータ情報に基づき補正する補正ステップと
を有し、当該補正ステップにより補正された前記地域受信情報に基づき前記放送信号を受信することを特徴とする受信方法。
【請求項２６】
地域の放送局に係る地域受信情報を有するサイトから受信した前記地域受信情報に基づいて放送信号を選択して受信する放送受信部と、外部とのインターフェースを有する受信装置であって、
前記サイトに接続するためのサイトアドレスと前記サイトから前記地域受信情報を収集するために必要な初期設定に用いるサイト情報を有し、複数のサイトから特定のサイトを選択するサイト選択部と、
当該サイト選択部が選択した前記サイトに接続して情報を送受信し、前記地域受信情報を受信する双方向通信部と、
当該双方向通信部が受信した前記地域受信情報を記憶する記憶部と、
前記受信装置の位置情報を検出する位置検出部と、
前記受信装置の動作を制御する制御部と、
を有し、
前記サイト選択部、前記双方向通信部、前記記憶部、前記位置検出部、前記制御部は、前記受信装置に内蔵される、または、前記インターフェースを介して接続され、
前記制御部は、
前記位置検出部が検出した前記位置情報を、前記双方向通信部を介して前記サイトに送信し前記位置情報に対応した前記放送信号の受信可否に係る情報を含めた前記地域受信情報を受信し、受信した当該地域受信情報に基づき前記放送受信部が前記放送信号を受信するよう、前記受信装置を制御することを特徴とする受信装置。
【請求項２７】
地域の放送局に係る地域受信情報を有するサイトから受信した前記地域受信情報に基づいて放送信号を受信する放送受信部と、外部とのインターフェースを有する受信装置であって、
前記サイトに接続して情報を送受信し、前記地域受信情報を受信する双方向通信部と、
当該双方向通信部が受信した前記地域受信情報を記憶する記憶部と、
ユーザが選択した放送局に係る前記放送受信部が受信した前記放送信号から放送受信状態を示す放送受信情報を検出する放送受信検出部と、
前記記憶部に記憶された前記地域受信情報と前記放送受信部が検出した放送受信情報とを比較し、前記地域受信情報を補正する補正部と、
前記受信装置の位置情報を検出する位置検出部と、
前記受信装置の動作を制御する制御部と、
を有し、
前記双方向通信部、前記記憶部、前記放送受信検出部、前記補正部、前記位置検出部、前記制御部は、前記受信装置に内蔵される、または、前記インターフェースを介して接続され、
前記制御部は、
前記位置検出部が検出した前記位置情報を、前記双方向通信部を介して前記サイトに送信し前記位置情報に対応した前記放送信号の受信可否に係る情報を含めた前記地域受信情報を受信し、受信した当該地域受信情報を前記補正部で補正し、補正された前記地域受信情報に基づき前記放送受信部が前記放送信号を受信するよう、前記受信装置を制御することを特徴とする受信装置。
【請求項２８】
地域の放送局に係る地域受信情報を有するサイトから受信した前記地域受信情報に基づいて放送信号を受信する放送受信部と、外部とのインターフェースを有する受信装置であって、
前記サイトに接続して情報を送受信し、前記地域受信情報を当該地域受信情報の内容を示すパラメータ情報を含めて受信する双方向通信部と、
当該双方向通信部が受信した前記地域受信情報を記憶する記憶部と、
前記パラメータ情報に係る前記受信装置に対応した補正値を記憶する補正値記憶部と、
前記記憶部に記憶された前記地域受信情報を前記補正値記憶部に記憶された前記補正値を用いて補正する補正部と、
前記受信装置の位置情報を検出する位置検出部と、
前記受信装置の動作を制御する制御部と、
を有し、
前記双方向通信部、前記記憶部、前記補正値記憶部、前記位置検出部、前記制御部は、前記受信装置に内蔵される、または、前記インターフェースを介して接続され、
前記制御部は、
前記位置検出部が検出した前記位置情報を、前記双方向通信部を介して前記サイトに送信し前記位置情報に対応した前記放送信号の受信可否に係る情報を含めた前記地域受信情報を受信し、受信した当該地域受信情報を前記補正部で補正し、補正された前記地域受信情報に基づき前記放送受信部が前記放送信号を受信するよう、前記受信装置を制御することを特徴とする受信装置。
【請求項２９】
地域の放送局に係る地域受信情報を有するサイトから受信した前記地域受信情報に基づいて放送信号を受信する放送受信部と、外部とのインターフェースを有する受信装置であって、
前記サイトに接続するためのサイトアドレスと前記サイトの当該地域受信情報の内容を示すパラメータ情報を含むサイト情報を有し、複数のサイトから特定のサイトを選択するサイト選択部と、
前記サイトに接続して情報を送受信し、前記地域受信情報を受信する双方向通信部と、
当該双方向通信部が受信した前記地域受信情報を記憶する記憶部と、
前記パラメータ情報に係る前記受信装置に対応した補正値を記憶する補正値記憶部と、
前記記憶部に記憶された前記地域受信情報を前記補正値記憶部に記憶された前記補正値を用いて補正する補正部と、
前記受信装置の位置情報を検出する位置検出部と、
前記受信装置の動作を制御する制御部と、
を有し、
前記サイト選択部、前記双方向通信部、前記記憶部、前記補正値記憶部、前記補正部、前記位置検出部、前記制御部は、前記受信装置に内蔵される、または、前記インターフェースを介して接続され、
前記制御部は、
前記位置検出部が検出した前記位置情報を、前記双方向通信部を介して前記サイトに送信し前記位置情報に対応した前記放送信号の受信可否に係る情報を含めた前記地域受信情報を受信し、受信した当該地域受信情報を前記補正部で補正し、補正された前記地域受信情報に基づき前記放送受信部が前記放送信号を受信するよう、前記受信装置を制御することを特徴とする受信装置。
【請求項３０】
請求項２６に記載の受信装置において、
前記サイト情報は、地域又は前記地域を更に細かく分割した地点の地図情報と前記位置情報の関連の付け方、前記地図情報のフォーマット、前記地域受信情報の種類とそのフォーマット、前記地域又は前記地点の大きさ、情報のやり取りのプロトコルを含むことを特徴とする受信装置。
【請求項３１】
請求項２１または請求項２２に記載の受信方法において、
前記サイト情報は、地域又は前記地域を更に細かく分割した地点の地図情報と前記位置情報の関連の付け方、前記地図情報のフォーマット、前記地域受信情報の種類とそのフォーマット、前記地域又は前記地点の大きさ、情報のやり取りのプロトコルを含むことを特徴とする受信方法。
【請求項３２】
請求項２４、請求項２８、又は請求項２９のいずれか１項に記載の受信装置において、
前記補正値は、前記放送信号の変調方式と符号化率における所要Ｃ／Ｎと関連付けた値、前記放送受信部の受信方式と関連付けた値、前記放送受信部の受信場所と関連付けた値、のうち少なくとも一つを含むことを特徴とする受信装置。
【請求項３３】
請求項２５に記載の受信方法において、
前記補正に用いる補正値は、前記放送信号の変調方式と符号化率における所要Ｃ／Ｎと関連付けた値、前記放送受信部の受信方式と関連付けた値、前記放送受信部の受信場所と関連付けた値、のうち少なくとも一つを含むことを特徴とする受信方法。
【請求項３４】
請求項２０または請求項２７に記載の受信装置において、
前記地域受信情報は、前記放送信号の変調方式と符号化率における所要Ｃ／Ｎと関連付けた値、前記放送受信部の受信方式と関連付けた値、前記放送受信部の受信場所と関連付けた値、のうち少なくとも一つを含むことを特徴とする受信装置。
【請求項３５】
請求項２３に記載の受信方法において、
前記地域受信情報は、前記放送信号の変調方式と符号化率における所要Ｃ／Ｎと関連付けた値、前記放送受信部の受信方式と関連付けた値、前記放送受信部の受信場所と関連付けた値、のうち少なくとも一つを含むことを特徴とする受信方法。
【請求項３６】
請求項３２または請求項３４に記載の受信装置において、
前記受信方式は、シングル受信またはダイバーシティ受信方式のアンテナの数に係ることを特徴とする受信装置。
【請求項３７】
請求項３３または請求項３５に記載の受信方法において、
前記受信方式は、シングル受信またはダイバーシティ受信方式のアンテナの数に係ることを特徴とする受信方法。
【請求項３８】
請求項３２または請求項３４に記載の受信装置において、
前記受信場所とは、アンテナを配置する場所であることを特徴とする受信装置。
【請求項３９】
請求項３３または請求項３５に記載の受信方法において、
前記受信方式とは、アンテナを配置する場所であることを特徴とする受信方法。
【請求項４０】
請求項３８に記載の受信装置において、
前記アンテナを配置する場所は、自動車の車種、又は当該自動車の窓に応じて定められた場所であることを特徴とする受信装置。
【請求項４１】
請求項３９に記載の受信方法において、
前記アンテナを配置する場所は、自動車の車種、又は当該自動車の窓に応じて定められた場所であることを特徴とする受信方法。
【発明の詳細な説明】
【技術分野】
【０００１】
本発明は、映像、音声、データなどのデジタル情報を送るデジタル放送の受信技術に関し、特に車載やモバイルなど移動しながら受信する受信装置および受信方法に関する。
【背景技術】
【０００２】
従来、放送受信装置が存在する場所で受信可能な放送チャンネルに関する情報を、所定のサーバから提供する情報提供システムがある。
たとえば、特許文献１には、情報を提供するセンタが放送受信装置から設置場所を示す情報を受信した場合に、放送受信装置の設置場所において受信可能な放送チャンネルに関する情報を返信する情報提供システムが開示されている。この情報提供システムによれば、たとえば、新規に設置された放送受信装置は、独自に受信可能な放送チャンネルのスキャンを行わなくても、センタから受信した情報に基づき、設置場所において受信可能な放送チャンネルの設定を容易に行うことができる。
【０００３】
また、特許文献２にはダイバーシティ受信を利用し、受信状態が劣化し弱階層受信から強階層受信に切換えた後、ダイバーシティ受信のための複数の選局受信部を二つに分け、片方で視聴中の番組を受信し、残る一方でチャンネルサーチを行って、チャンネルサーチにより新たに受信状態の良い中継局を発見できた場合には、その中継局のチャンネルを選局してチャンネルサーチを終了する方法が示されている。
【先行技術文献】
【特許文献】
【０００４】
【特許文献１】特許第４２５３６０２号公報
【特許文献２】特開２０１１−８７０５１号公報
【発明の概要】
【発明が解決しようとする課題】
【０００５】
上記特許文献１は基本的に固定受信に関して示しており、時々刻々として変化する移動受信の最適受信を考慮していなかった。また、決められた集計センタとしか受信情報のやり取りができない構成であった。さらにまた、受信機により、ダイバーシティの数などの構成や、車載の場合のアンテナ取り付け位置や取り付け高さなどが異なることに対応していなかった。
上記特許文献２は受信状態の良い中継局を探すために、チャネルサーチを行う必要があった。
【０００６】
本発明はこのような状況に鑑みてなされたものであり、その目的は、汎用の集計センタから受信情報の入手を可能とし、受信機の構成やアンテナ取り付け位置などの受信機条件によらず、またチャネルサーチを行うことなく受信状態の良い送信局を事前に情報入手することが可能な受信装置および受信方法を提供することにある。
【課題を解決するための手段】
【０００７】
上記目的を達成するために、例えば、特許請求の範囲に記載の構成を採用する。
【発明の効果】
【０００８】
本発明によれば、汎用の集計センタから受信情報を入手できるので、自分の求める受信情報を掲載している集計センタを選択することができ、チャネルサーチを行うことなく受信状態の良い送信局を事前に情報入手することができる。また、実施形態に応じては、集計センタの情報を自分の受信機の構成やアンテナ取り付け位置などの受信装置の条件によって補正することが可能であり、より精度のよい受信情報とすることができる。
【図面の簡単な説明】
【０００９】
【図１】第１の実施形態に係るデジタル放送受信装置を示すブロック図である。
【図２】第１の実施形態に係るデジタル放送受信装置の第１の動作フロー図である。
【図３】第１の実施形態に係るデジタル放送受信装置の第２の動作フロー図である。
【図４】第１の実施形態に係るサイトが有する受信情報を示す図である。
【図５】第１の実施形態に係るサイトが有する受信状態情報を示す図である。
【図６Ａ】第１の実施形態に係るデジタル放送受信装置の地域受信情報最適化ステップの動作フロー図である。
【図６Ｂ】第１の実施形態に係るデジタル放送受信装置の地域受信情報最適化ステップの動作フロー図である。
【図７】第１の実施形態に係るデジタル放送受信装置の地域ｃｈ受信情報最適化ステップの動作フロー図である。
【図８】第２の実施形態に係るデジタル放送受信装置を示すブロック図である。
【図９Ａ】第２の実施形態に係るデジタル放送受信装置の補正値記憶部で記憶する補正値の一例を示す図である。
【図９Ｂ】第２の実施形態に係るデジタル放送受信装置の補正値記憶部で記憶する補正値の一例を示す図である。
【図９Ｃ】第２の実施形態に係るデジタル放送受信装置の補正値記憶部で記憶する補正値の一例を示す図である。
【図９Ｄ】第２の実施形態に係るデジタル放送受信装置の補正値記憶部で記憶する補正値の一例を示す図である。
【図１０】第３の実施形態に係るデジタル放送受信装置を示すブロック図である。
【図１１】第１の実施形態に係るデジタル放送受信装置のサイト情報の説明図である。
【図１２】第１の実施形態に係るデジタル放送受信装置のサイト情報の説明図である。
【図１３】第４の実施形態に係るデジタル放送受信装置を示すブロック図である。
【発明を実施するための形態】
【００１０】
以下、本発明を実施するための形態について図面を参照して詳述する。なお、図面において、同一符号は、同一または相当部分を示す。また、本発明は、図示例に限定されるものではない。
本発明の実施形態における受信装置では、日本の地上デジタル放送の伝送方式であるＩＳＤＢ−Ｔ（Ｉｎｔｅｇｒａｔｅｄ Ｓｅｒｖｉｃｅｓ Ｄｉｇｉｔａｌ Ｂｒｏａｄｃａｓｔｉｎｇ ｆｏｒ Ｔｅｒｒｅｓｔｒｉａｌ）による放送信号を受信することができる。ＩＳＤＢ−Ｔでは、１チャンネルの伝送帯域を１３個のセグメントに分割し、それぞれのセグメントを組合せて、最大３階層までの階層伝送を行うことができる。
【００１１】
現在、この階層伝送を利用し、１２個のセグメントを使用して固定受信端末向けの高品質な放送（以下、１２セグ放送）と、残りの１個のセグメントを使用して携帯受信端末向けの低品質な放送（以下、ワンセグ放送）が行われている。１２セグ放送とワンセグ放送は、同じ番組内容を放送するサイマル放送が主流となっている。ここで、１２セグ放送は、伝送容量が大きく高品質な放送であるがエラー耐性に弱く、放送電波の受信状態が比較的良好でないと受信できない。一方、ワンセグ放送は、伝送容量が小さく低品質な放送であるがエラー耐性に強く、放送電波の受信状態が比較的劣化していても受信できるという特徴がある。本発明の実施形態における受信装置では、１２セグ放送とワンセグ放送の両方を受信可能であり、放送電波の受信状態の良否に応じてどちらか一方の映像・音声信号を選択してディスプレイやスピーカなどに出力することができる。
【実施例１】
【００１２】
図１は本発明の一実施例を示しており、デジタル放送信号を受信するデジタル放送受信装置の構成を示すブロック図である。ここでは、車載などの移動受信機を想定している。
１０１は放送信号を受信するアンテナ、１０２は選局部、１０３はデジタル復調部、１０４は多重分離部、１０５は音声デコード部、１０６は音声出力端子、１０７は映像デコード部、１０８は提示処理部、１０９は映像出力端子、１１０は制御部、１１１は記憶部、１１２は受信放送局選択部（以下、ｃｈ選択部）、１１３は位置情報検出部、１１４はサイト選択部、１１５は双方向通信部、１１６はデジタル放送受信装置である。以下では、アンテナ１０１から映像出力端子１０９に至る構成要素をまとめて、放送受信部と呼ぶことがある。
【００１３】
位置情報検出部１１３ではデジタル放送受信装置１１６の使用されている位置が、例えばＧＰＳ（Ｇｌｏｂａｌ Ｐｏｓｉｔｉｏｎｉｎｇ Ｓｙｓｔｅｍ）を用いるなどして検出され、その位置情報は制御部１１０に送られる。
サイト選択部１１４ではデジタル放送受信装置１１６の受信者（以下、ユーザとも呼ぶ）によりインターネット上のいろいろな汎用集計センタのサイトから希望する１つのサイトが選択され、そのサイトのサイトアドレスとそのサイトからデータ収集するために必要な初期設定であるサイト情報は制御部１１０へ送られる。集計センタには位置情報に対応した受信情報が示されている。サイト情報とは、地域や地点などの地図情報と位置情報の関連の付け方、地図情報のフォーマット、地域受信情報の種類とそのフォーマット、地域や地点の大きさ、情報のやり取りのプロトコル、などである。詳細は後述する。なお、サイト情報は、図示していない外部記憶媒体や、双方向通信部１１５を介して更新できるようにしておいてもよい。
【００１４】
双方向通信部１１５は制御部１１０からのサイトアドレスにより選択されたサイトに接続され、サイト情報によりそのサイトとデータのやり取りを行うための初期設定を行った後、位置情報がそのサイトに送られ、サイトから受信情報が入手される。入手された受信情報は制御部１１０を介して記憶部１１１に記憶される。
ｃｈ選択部１１２では、記憶部１１１に記憶された受信情報に含まれる受信可能な放送局から、デジタル放送受信装置１１６の受信者が希望する１つの受信放送局の受信チャネルが選択され、その選局情報は制御部１１０に送られる。
【００１５】
選局部１０２は、制御部１１０からの制御信号により、アンテナ１０１からの受信した放送信号から受信者が希望した１つの受信チャネル（受信放送局）を選択し、中間周波数に変換して中間周波受信チャネル信号として出力する。
デジタル復調部１０３は、利得制御された中間周波受信チャネル信号をデジタル復調してＴＳ（Ｔｒａｎｓｐｏｒｔ Ｓｔｒｅａｍ）信号を出力する。
多重分離部１０４は制御部１１０により要求された音声データまたは映像データを抽出し、それぞれ音声デコード部１０５、映像デコード部１０７に出力する。また、データ放送で送られた情報データを制御部１１０で処理し、提示処理部１０８に出力する。
【００１６】
音声デコード部１０５は、音声データを復号し、音声信号として出力端子１０６に出力する。
映像デコード部１０７は、映像データを復号し、映像信号として提示処理部１０８に出力する。
提示処理部１０８は、映像信号と処理された情報データを多重して出力端子１０９に出力する。
以上の説明では、アンテナ１０１と選局部１０２は１系統であるが、これらを複数系統有したダイバーシティ構成とし、デジタル復調部１０３で合成してもよい。
【００１７】
以上の説明の詳細を、図２および図３を用いて説明する。
図２は、移動中の現在の地点で受信可能な放送局を調査するための動作フローである。
２０１：まず、サイト選択部１１４でインターネット上のいろいろな汎用集計センタのサイトからユーザが希望する１つのサイトが選択され、そのサイトのサイトアドレスとそのサイトからデータ収集するために必要な初期設定であるサイト情報は制御部１１０へ送られる。
２０２：双方向通信部１１５でサイトアドレスを用い、汎用集計センタのサイトに接続要求する。
【００１８】
２０３−２０４：サイトで応答し、サイトから応答をデジタル放送受信装置１１６の双方向通信部１１５に返す。
２０５−２０６：双方向通信部１１５を介し制御部１１０で接続を確認する。
２０７−  ２０８：制御部１１０はサイト選択部１１４からのサイト情報を基にそのサイトとデータのやり取りを行うための初期設定を行う。
２０９−２１０：位置情報検出部１１３で検出された位置情報は制御部１１０に送られる。
【００１９】
２１１−２１２：制御部１１０から双方向通信部１１５を介して位置情報がサイトに送信される。
２１３−２１４：位置情報をサイト側が受信する。
２１５−２１６：位置情報を基にその位置情報が含まれる地域をサイト側が選択する。この地域はある一定距離間隔（面積）でも良いし、道路に沿って切り分けられたエリアでも良いし、受信情報を基に切り分けられたエリアでも良い。
２１７−２１８：選択された地域とその地域の受信情報（地域受信情報）をデジタル放送受信装置１１６側に送信する。地域受信情報とは地域の中を更に細かく分けた地点における受信情報の集まりで、その情報は例えば図４の（ａ）に示したものである。
【００２０】
図４の（ａ）において、受信可能放送局情報とは、その地点で受信可能な放送局のリストである。
受信可能中継局情報とは、受信可能放送局の受信可能中継局（親局含む）の周波数リストである。アンダーラインの中継局がその地点で最も受信可能な中継局であることを示す。他に受信可能な中継局がある場合は受信可能となる可能性の高い順番に並べておく。
受信可能系列局情報とは、受信可能放送局の受信可能系列局の放送局名と周波数リストを示したものである。他に受信可能な系列局がある場合は受信可能となる可能性の高い順番に並べておく。
受信状態情報とはそれぞれの中継局や系列局の受信可能性を示す指標であり、例えば、受信強度、エラーレート、Ｃ／Ｎ、コンスタレーション値などがある。
これらの地点上の受信情報が集まって地域受信情報を構成する。
【００２１】
図２に戻り、さらに説明する。
２１９−２２０：地域受信情報は双方向通信部１１５で受信され、制御部１１０に送られ、さらに制御部１１０を介して記憶部１１１に記憶される。
２２１−２２２：記憶部１１１に記憶された地域受信情報から、制御部１１０が受信可能な放送局リストを作成する。
２２３：制御部１１０が地域受信情報の最適化を行う。詳細は後述する。
２２４：定期的に地域受信情報を更新する処理を行う。
【００２２】
ここで上記のサイト情報とは、地域や地点などの地図情報と位置情報の関連の付け方、地図情報のフォーマット、地域受信情報の種類とそのフォーマット、地域や地点の大きさ、情報のやり取りのプロトコル、などである。
以上により、デジタル放送受信装置１１６の選局部１０２、デジタル復調部１０３を用いて受信可能な放送局を検索するスキャンによるチャネルサーチを行うことなく、受信可能な放送局リストを構築することができるので、スキャンの間放送が受信できない問題を解消したデジタル放送受信装置を提供できる効果がある。
【００２３】
図３は放送局リストができた後の受信者が希望した１つの受信チャネル（受信放送局）を選択したときの動作フローである。
図２と同一符号は同一動作を示す。また、ステップ２０７までのサイト接続までの処理は受信チャネル（受信放送局）を選択するたびに行う必要はなく、一度接続してしまえば
そのまま接続したままでもよい。
３０１：受信者が希望した１つの受信チャネル（受信放送局）が選択され、制御部１１０にその選局情報が送られる。このときデジタル放送受信装置１１６は、選局部１０２が制御部１１０からの制御信号によりアンテナ１０１からの受信した放送信号から受信者が希望した１つの受信チャネル（受信放送局）を選択し、前記したように音声出力端子１０６、映像出力端子１０９から受信放送局の音声、映像を得ている。
【００２４】
３０２：双方向通信部１１５を介して制御部１１０から選局情報がサイトに送られる。
３０３−３０４：選局情報をサイト側が受信する。
３０５−３０６：２１５で選択された地域と選局情報からの受信放送局からその地域の受信放送局の受信情報（地域ｃｈ受信情報）をデジタル放送受信装置１１６側に送信する。地域ｃｈ受信情報とは地域の中を更に細かく分けた地点における特定放送局の受信情報の集まりで、その情報は例えば図４の（ｂ）に示したものである。すなわち、図４の（ａ）に示した地域受信情報のうちある特定放送局の情報のみに制限したものであり、この場合の特定放送局とは選局情報から得られた受信放送局になる。
【００２５】
３０７−３０８：地域ｃｈ受信情報は双方向通信部１１５で受信され、制御部１１０に送られ、さらに制御部１１０を介して記憶部１１１に記憶される。受信放送局の地域受信情報が既に記憶部１１１に記憶されている場合はその記憶内容を更新する。
３０９−３１０：制御部１１０が地域ｃｈ受信情報の最適化を行う。詳細は後述する。
３１１：記憶部１１１に記憶された地域ｃｈ受信情報から最も受信可能な中継局を選択する。すべての中継局が受信不可能で系列局が受信可能となった場合は系列局を選択してもよい。
３１２：定期的に地域ｃｈ受信情報を更新する処理を行う。
以上により、デジタル放送受信装置１１６で受信放送局を受信中に、次第に受信不可能となる受信状態になった場合に、選局部１０２、デジタル復調部１０３を用いて受信可能な中継局や系列局を検索するスキャンを行うことなく、受信可能な中継局や系列局を得ることができるので、スキャンの間放送が受信できない問題を解消したデジタル放送受信装置を提供できる効果がある。
【００２６】
図６Ａと図６Ｂに、図２の地域受信情報最適化２２３の詳細動作フローを示す。
受信状態情報にはいろいろなパラメータが考えられる。
まず、デジタル放送受信装置１１６で受信する放送信号にはいろいろな伝送パラメータがある。
また、受信方式がシングル受信やダイバーシティ受信方式であったり、ダイバーシティ受信方式でもアンテナの数が異なっていたりする。
さらにまた、アンテナ配置でも受信状態は異なってくる。
【００２７】
図５にこれら受信状態情報のパラメータの例を示す。
放送信号パラメータは放送信号の放送方式で認められている伝送妨害耐性の異なる色々な伝送方式を表し、例えばＩＳＤＢ−Ｔでは変調方式と誤り訂正の符号化率があり、変調方式ではＱＰＳＫ（ＱｕａｔｅｒｎａｒｙまたはＱｕａｄｒａｔｕｒｅ Ｐｈａｓｅ Ｓｈｉｆｔ Ｋｅｙｉｎｇ）、１６ＱＡＭ（Ｑｕａｄｒａｔｕｒｅ Ａｍｐｌｉｔｕｄｅ  Ｍｏｄｕｌａｔｉｏｎ）、６４ＱＡＭがあり、符号化率では１／２、２／３、３／４、５／６、７／８がある。
【００２８】
受信方式はシングル受信やダイバーシティ受信方式を表し、ダイバーシティ受信方式でもアンテナの数が色々考えられ、例えばアンテナ数が１（シングル受信）、２アンテナダイバーシティ方式、３アンテナダイバーシティ方式、４アンテナダイバーシティ方式が考えられる。
【００２９】
アンテナ配置でも受信状態は異なり、配置する場所、例えば配置するものが移動体であり自動車であった場合には、その車種とアンテナ配置する窓の場所が考えられ、車種は例えばセダン、ワゴン、ワンボックス、窓の場所はフロント、リア、サイドが考えられる。
サイトの集計センタでは、これらパラメータのうちどのパラメータでデジタル放送受信装置が管理しているかわからない場合がある。また、パラメータによっては考慮されていない場合もある。地域受信情報最適化２２３は、デジタル放送受信装置が管理するパラメータが集計センタでは不明であっても、集計センタから受信した地域受信情報を、受信中の放送信号のパラメータやデジタル放送受信装置１１６の受信方式やアンテナ１０１のアンテナ配置に応じて正規化する。
【００３０】
図６Ａの正規化方法を説明する。
６０１：スタート。
６０２：２２１の受信可能な放送局リストから受信可能チャネル（受信可能放送局）を選択し選択チャネルとする。一例としては最も受信状態のよい受信可能なチャネルを、または、デジタル放送受信装置１１６が受信中の場合はその受信チャネル（受信放送局）を選択する。そして、選局部１０２は制御部１１０からの制御信号により選択チャネルを選局する。
６０３：位置情報検出部１１３より位置情報を確認する。
６０４：デジタル復調部１０３で測定した選択チャネルの測定受信状態を確認する。
６０５：６０３で確認した位置情報より現在地点の記憶部１１１に記憶された地域受信情報の選択チャネル（選択放送局）の受信状態情報を確認し、６０４で得た測定受信状態との差分をとる。
【００３１】
６０６：差分値の統計処理を行い、平滑化を行う。一般的には平均処理であるが、受信状態情報が対数表示の場合もあるため、状況に応じて平滑化処理を行う。
６０７：差分値がある程度収束するか、差分の統計処理をある一定回数行ったあとに、差分値を調整値とし、６０８の処理に移る。収束していない、回数に達していない場合は６０３に戻る。
６０８：調整値を基に、地域受信情報のすべての放送局の受信状態情報を補正する。
６０９：一定時間経過後、または、異なる中継局や系列局に選局が切り換わった場合、または、地域受信情報の地域から外れると判断された場合に６０３に戻り、調整値を求めなおす。
以上により、デジタル放送受信装置１１６が受信中の場合でも地域受信情報を補正できる効果がある。
【００３２】
次に図６Ｂの正規化方法を説明する。
図６Ａと同じ記号は同じ動作を示す。
６１１：差分値がある程度収束するか、差分の統計処理をある一定回数行ったあとに、差分値を選局ｃｈ調整値とし、６１２の処理に移る。収束していない、回数に達していない場合は６０３に戻る。
６１２：選局ｃｈ調整値を基に、地域受信情報の選択チャネル（選択放送局）の受信中継局の受信状態情報を補正する。
６１３：全受信可能チャネル（受信可能放送局）で補正が完了した場合は６０９に移る。完了してない場合は完了してない受信可能チャネル（受信可能放送局）を選択チャネルとして６０２に処理を移す。
以上により、全ての受信可能チャネル（受信可能放送局）のそれぞれに対して細かく地域受信情報を補正できる効果がある。
【００３３】
図１１を用いて、図２で述べたサイト情報について詳細に説明する。
サイト情報の一例として、サイト１のサイトは、１ページ目に場所入力があり、また、その入力形式は住所で入れるようになっている。場所入力に住所を入力すると２ページ目に移り、２ページ目には入力した住所での受信可能局名が表示され、表示されている局名を選択すると３ページ目に移るようになっている。図１１では局名Ａを選択しており、３ページ目には局名Ａの各中継局の周波数と受信強度、エラーレート、Ｃ／Ｎ、コンスタレーションなどの受信状態情報が表示されるようになっている。
これにあわせてサイト情報１は一種のマクロ処理のようになっている。まず初期情報として位置情報検出部１１３から供給された位置情報を持っている。サイト１に接続すると１ページ目が表示され、場所入力を要求されるが、入力形式が住所のため、位置情報から住所に形式変換を実施し、形式変換された住所を入力する処理を実施する。場所入力に住所を入力すると２ページ目に移り受信可能局名が表示されるので、これを抽出する処理を行なう。そして、抽出した局名の数だけ以下の処理を行なう。
【００３４】
２ページ目の局名選択に局名を入力する処理を行う。３ページ目に移り、入力した局名の各中継局の周波数と受信強度、エラーレート、Ｃ／Ｎ、コンスタレーションなどの受信状態情報が表示されるので、これを抽出する処理を行なう。抽出後、ページ戻り処理を行い２ページ目に戻り、局名選択に局名を入力する状況に戻す。
これを抽出した局名の数だけ行い（図１１では局名Ａ、局名Ｂ、局名Ｃの３回)、処理を終了し、図４に示すように受信情報を整理する。
一方、サイト情報の他の一例として、サイト２のサイトは、１ページ目に場所入力があり、また、その入力形式は位置情報で入れるようになっている。場所入力に位置情報を入力すると２ページ目に移り、２ページ目には入力した位置情報での受信可能局名及びその受信可能局の各中継局の周波数と受信強度、エラーレート、Ｃ／Ｎ、コンスタレーションなどの受信状態情報が表示されるようになっており、１画面で表示しきれない部分はスクロールにより表示されるようになっている。
【００３５】
これにあわせてサイト情報２は一種のマクロ処理のようになっている。まず初期情報として位置情報検出部１１３から供給された位置情報を持っている。サイト２に接続すると１ページ目が表示され、場所入力を要求されるが、その入力形式が前記位置情報検出部１１３から供給された位置情報と一致しているため、当該の位置情報をそのまま入力する処理を実施する。場所入力に位置情報を入力すると２ページ目に移り、受信可能局名及びその受信可能局の各中継局の周波数と受信強度、エラーレート、Ｃ／Ｎ、コンスタレーションなどの受信状態情報が表示されるので、これをスクロールして最後まで抽出する処理を行なう。抽出が終わると処理を終了し、図４に示すように受信情報を整理する。
以上のように、サイト情報を利用することでサイトの地域や地点などの地図情報と位置情報の関連の付け方、地図情報のフォーマット、地域受信情報の種類とそのフォーマット、地域や地点の大きさ、情報のやり取りのプロトコル、表示の仕方が異なっていても、それらにあわせた一種のマクロ処理で処理吸収を行い、必要な受信情報を抽出することができる効果がある。
【００３６】
図７に図３の地域ｃｈ受信情報最適化３０９の詳細動作フローを示す。
図７の正規化方法を説明する。
７０１：スタート。
７０３：位置情報検出部１１３より位置情報を確認する。
７０４：図３の３０１で選択した選択チャネルで選局部１０２は既に選局しているので、デジタル復調部１０３で測定した選択チャネルの測定受信状態を確認する。
７０５：７０３で確認した位置情報より記憶部１１１に記憶された現在地点の地域受信情報の選択チャネル（選択放送局）の受信状態情報を確認し、７０４で得た測定受信状態との差分をとる。
７０６：差分値の統計処理を行い、平滑化を行う。一般的には平均処理であるが、受信状態情報が対数表示の場合もあるため、状況に応じて平滑化処理を行う。
【００３７】
７０７：差分値がある程度収束するか、差分の統計処理をある一定回数行ったあとに、差分値をｃｈ調整値とし、７０８の処理に移る。収束していない、回数に達していない場合は７０３に戻る。
７０８：ｃｈ調整値を基に、地域受信情報の選択チャネル（選択放送局）の受信中継局の受信状態情報を補正する。
７０９：一定時間経過後、または、異なる中継局や系列局に選局が切り換わった場合、または、地域受信情報の地域から外れると判断された場合に７０３に戻り、調整値を求めなおす。
以上により、デジタル放送受信装置１１６が受信中の場合でも地域受信情報を補正できる効果がある。
【００３８】
図１２を用いて、図３で述べたサイト情報について詳細に説明する。
サイト３のサイトは、１ページ目に局名入力と場所入力があり、また、場所入力の入力形式は位置情報検出部１１３から供給された位置情報で入れるようになっている。局名入力に局名を（図１２では局名Ａ）、場所入力に位置情報を入力すると２ページ目に移り、２ページ目には入力した位置情報における入力した局名の各中継局の周波数と受信強度、エラーレート、Ｃ／Ｎ、コンスタレーションなどの受信状態情報が表示され、またそのあとに、入力した局名の各系列局の周波数と受信強度、エラーレート、Ｃ／Ｎ、コンスタレーションなどの受信状態情報が表示されるようになっており、１画面で表示しきれない部分はスクロールにより表示されるようになっている。
【００３９】
これにあわせてサイト情報３は一種のマクロ処理のようになっている。まず初期情報としてｃｈ情報である局名（図１２では局名Ａ）、位置情報を持っている。サイト３に接続すると１ページ目が表示され、局名入力、場所入力を要求され、入力に応じてその処理が実施される。場所入力はその入力形式が前記位置情報検出部１１３から供給された位置情報と一致しているため、当該の位置情報をそのまま入力する処理を実施する。入力処理を実施すると２ページ目に移り、入力した局名の各中継局の周波数と受信強度、エラーレート、Ｃ／Ｎ、コンスタレーションなどの受信状態情報が表示され、またそのあとに、入力した局名の各系列局の周波数と受信強度、エラーレート、Ｃ／Ｎ、コンスタレーションなどの受信状態情報が表示されるので、これをスクロールして最後まで抽出する処理を行なう。抽出が終わると処理を終了し、図４に示すように受信情報を整理する。
【００４０】
以上のように、サイト情報を利用することでサイトの地域や地点などの地図情報と位置情報の関連の付け方、地図情報のフォーマット、地域受信情報の種類とそのフォーマット、地域や地点の大きさ、情報のやり取りのプロトコル、表示の仕方が異なっていても、それらにあわせた一種のマクロ処理で処理吸収を行い、必要な受信情報を抽出することができる効果がある。
【実施例２】
【００４１】
図８は、本発明に係る実施形態２におけるデジタル放送受信装置の構成を示すブロック図である。ここでも、車載などの移動受信機を想定している。
図１と同一符号は同一機能を示す。８０１は補正値記憶部である。
図６Ａと図６Ｂの説明のときに受信状態情報にはいろいろなパラメータが考えられることを示し、その受信状態情報のパラメータの例を図５に示した。
図６Ａ、図６Ｂと図７ではこれらパラメータがサイトの集計センタに情報がない場合の最適化処理を示したが、これらの情報がサイトの集計センタにパラメータ情報としてある場合も考えられる。
【００４２】
図８はこの場合に対応したデジタル放送受信装置１１６であり、補正値記憶部８０１はサイトの集計センタと同様のパラメータ情報の補正値を記憶している。
パラメータ情報は、図２の地域受信情報送信２１７−２１８や図３の地域ｃｈ受信情報送信３０５−３０６のときにデジタル放送受信装置１１６に送信される。
【００４３】
図９Ａから図９Ｄは、補正値記憶部８０１で記憶している補正値の一例を示す。
図９Ａは図５の放送信号パラメータに関して補正値の例を示したものである。本補正値はそれぞれの変調方式と符号化率における所要Ｃ／Ｎを表している。この所要Ｃ／Ｎ値はＩＳＤＢ−Ｔ方式ではビタビ復号後の誤り率が２Ｅ−４（２×（１０の−４乗））となる値である。
例えばサイトの集計センタの受信状態が［変調方式６４ＱＡＭ、符号化率７／８］の場合での誤りが発生し始めた受信強度で表されており、実際の放送信号が［変調方式６４ＱＡＭ、符号化率３／４］であった場合、図９Ａより、
［変調方式６４ＱＡＭ、符号化率７／８］の所要Ｃ／Ｎ＝２２．０ｄＢ
［変調方式６４ＱＡＭ、符号化率３／４］の所要Ｃ／Ｎ＝２０．１ｄＢ
の差分１．９ｄＢだけ集計センタの受信強度より少なくても実際の放送信号では受信可能となる。
【００４４】
図９Ｂはサイトの集計センタが、現状の実際の放送信号のパラメータであるワンセグ放送の受信状態か、１２セグ放送の受信状態であった場合を示している。この場合は１３．５ｄＢの補正が必要である。
図９Ｃと図９Ｄは図５の受信方式およびアンテナ配置パラメータに関して補正値の例を示したものである。
ダイバーシティのアンテナの数やアンテナを張る位置、また、車種の形状によって受信状態は異なってくる。これらを補正値として補正値記憶部８０１に記憶しておき、集計センタのパラメータ情報により集計センタの受信状態との差分を求め、補正値とする。
【００４５】
なお、図９Ａから図９Ｄの例では受信状態を受信強度として示したが、誤り率の場合はそれぞれのパラメータにより基準値に対して何倍になるかという指標を記憶すればよい。
また、図８では補正値記憶部８０１を用いて補正を行った後に、図６Ａ、図６Ｂと図７の補正最適化を行ってもよい。
図８のデジタル放送受信機によれば、サイトの集計センタからパラメータ情報を入手して受信状態情報に補正をかけるため、精度のよい地域受信情報、地域ｃｈ受信情報とすることができる効果がある。
【００４６】
なお、図８ではパラメータ情報の補正値を集計センタから入手する実施例を示したが、
図１の実施例において、図９Ａ、図９Ｂ、図９Ｃ、図９Ｄに示す補正値を参考にしたサイトごとの補正値をサイト情報に入れ込んでおいて、サイトから抽出した値に対して補正を加える処理を実施してもよい。
【実施例３】
【００４７】
図１０は、本発明に係る実施形態３におけるデジタル放送受信装置の構成を示すブロック図である。ここでも、車載などの移動受信機を想定している。
図１と同一符号は同一機能を示す。１００１はデジタル放送受信装置１１６のインターフェース部(以下、Ｉ／Ｆ部)、１００４は通信装置、１００２は通信装置１００４のインターフェース部(以下、Ｉ／Ｆ部)、１００３は通信装置１００４の制御部である。
通信装置１００４は一般的には携帯端末が想定される。すなわち、デジタル放送受信装置１１６と携帯端末である通信装置１００４を接続して、デジタル放送受信装置１１６が通信装置１００４の通信機能を利用してサイトに接続する実施例である。
【００４８】
図１の実施例と異なるのは、記憶部１１１、ｃｈ選択部１１２、位置情報検出部１１３、サイト選択部１１４、双方向通信部１１５が通信装置１００４の側にあり、それらの処理が制御部１１０、Ｉ／Ｆ部１００１、Ｉ／Ｆ部１００２、制御部１００３を介して行なわれることである。
なお図１０の実施例では、記憶部１１１、ｃｈ選択部１１２、位置情報検出部１１３、サイト選択部１１４、双方向通信部１１５が通信装置１００４に搭載されるが、双方向通信部１１５を除く記憶部１１１、ｃｈ選択部１１２、位置情報検出部１１３、サイト選択部１１４はデジタル放送受信装置１１６に搭載されてもよい。
【００４９】
また、Ｉ／Ｆ部１００１、Ｉ／Ｆ部１００２の間は、有線でも無線でもかまわない。
さらにまた、制御部１００３は、図１と図８において制御部１１０が行う処理を行なってもよい。たとえば、位置情報検出部１１３ではデジタル放送受信装置１１６の使用されている位置（または通信装置１００４の使用されている位置）が、例えばＧＰＳを用いるなどして検出され、その位置情報は制御部１００３に送られる。
【００５０】
サイト選択部１１４では、デジタル放送受信装置１１６の受信者によりインターネット上のいろいろな汎用集計センタのサイトから希望する１つのサイトが選択され、そのサイトのサイトアドレスとそのサイトからデータ収集するために必要な初期設定であるサイト情報は制御部１００３へ送られる。集計センタには位置情報に対応した受信情報が示されている。サイト情報とは、地域や地点などの地図情報と位置情報の関連の付け方、地図情報のフォーマット、地域受信情報の種類とそのフォーマット、地域や地点の大きさ、情報のやり取りのプロトコル、などである。詳細は後述する。なお、サイト情報は、図示していない外部記憶媒体や、双方向通信部１１５を介して更新できるようにしておいてもよい。
【００５１】
双方向通信部１１５は制御部１００３からのサイトアドレスにより選択されたサイトに接続され、サイト情報によりそのサイトとデータのやり取りを行うための初期設定を行った後、位置情報がそのサイトに送られ、サイトから受信情報が入手される。入手された受信情報は制御部１００３を介して記憶部１１１に記憶される。
ｃｈ選択部１１２では、記憶部１１１に記憶された受信情報に含まれる受信可能な放送局から、デジタル放送受信装置１１６の受信者が希望する１つの受信放送局の受信チャネルが選択され、その選局情報は制御部１００３に送られる。制御部１００３と制御部１１０の間でＩ／Ｆ部１００２、Ｉ／Ｆ部１００１を介して相互に情報伝達が行なわれる。そして、選局部１０２は、制御部１１０からの制御信号により、アンテナ１０１からの受信した放送信号から受信者が希望した１つの受信チャネル（受信放送局）を選択し、中間周波数に変換して中間周波受信チャネル信号としてデジタル復調部１０３へ出力する。
【００５２】
図１０の実施例に拠れば、デジタル放送受信装置１１６に余分なハードウェアを搭載する必要がなく安価にでき、また、デジタル放送受信装置１１６と分離した携帯端末である通信装置１００４だけで、離れたところでユーザがｃｈ選択、サイト選択を行なうことができる効果がある。
また、図１０の実施例では通信装置１００４としての最小構成を双方向通信部１１５としたが、それに限らず、記憶部１１１、ｃｈ選択部１１２、位置情報検出部１１３、サイト選択部１１４、双方向通信部１１５の少なくとも１つがＩ／Ｆ部１００１、Ｉ／Ｆ部１００２を介してデジタル放送受信装置１１６の外部にある構成としてもよい。
さらにまた、図１０の実施例は図１の実施例にインターフェースを設けて外部通信装置に接続する構成としたが、図８の実施例や後述する図１３の実施例においても適用することができる。
【実施例４】
【００５３】
図１３は、本発明に係る実施形態４におけるデジタル放送受信装置の構成を示すブロック図である。ここでも、車載などの移動受信機を想定している。
図１と同一符号は同一機能を示し、１３０１は補正部である。
図１と異なる点は、図１における地域受信情報最適化処理（図２の２２３：図６Ａや図６Ｂ）または地域ｃｈ受信情報最適化処理（図３の３０９：図７）を制御部１１０が処理していたところを、専用のブロックである補正部１３０１で行なうことである。
補正部１３０１を高速な専用ハードウェアやＤＳＰ（Ｄｉｇｉｔａｌ Ｓｉｇｎａｌ Ｐｒｏｃｅｓｓｏｒ）などで構成することで、最適化処理や補正処理を高速に行なうことが可能となる効果がある。
【符号の説明】
【００５４】
１０１…アンテナ、１０２…選局部、１０３…デジタル復調部、１０４…多重分離部、１０５…音声デコード部、１０６…音声出力端子、１０７…映像デコード部、１０８…提示処理部、１０９…映像出力端子、１１０…制御部、１１１…記憶部、１１２…受信放送局選択部（ｃｈ選択部）、１１３…位置情報検出部、１１４…サイト選択部、１１５…双方向通信部、１１６…デジタル放送受信装置、８０１…補正値記憶部、１００１…インターフェース部(Ｉ／Ｆ部)、１００２…インターフェース部(Ｉ／Ｆ部)、１００３…制御部、１００４…通信装置、１３０１…補正部。
【図１】
2013219762.tif 000003
【図２】
2013219762.tif 000004
【図３】
2013219762.tif 000005
【図４】
2013219762.tif 000006
【図５】
2013219762.tif 000007
【図６Ａ】
2013219762.tif 000008
【図６Ｂ】
2013219762.tif 000009
【図７】
2013219762.tif 000010
【図８】
2013219762.tif 000011
【図９Ａ】
2013219762.tif 000012
【図９Ｂ】
2013219762.tif 000013
【図９Ｃ】
2013219762.tif 000014
【図９Ｄ】
2013219762.tif 000015
【図１０】
2013219762.tif 000016
【図１１】
2013219762.tif 000017
【図１２】
2013219762.tif 000018
【図１３】
2013219762.tif 000019